(57)【要約】【課題】部品点数の削減及び強度確保を実現することができるマイクアレイ装置を提供する。【解決手段】ベース１とマイク搭載ポール２のフレーム構造を、縦割りにより一方及び他方の分割フレーム７Ｌ，７Ｒの二つに分割し、これら一方及び他方の分割フレーム７Ｌ，７Ｒを、それぞれにベース側部位９にポール側部位１２を連ねて構成し、一方のポール側部位１２に設けた一方の相手係合部２８に、他方のポール側部位１２に設けた他方の相手係合部４０を係脱可能に係合し、且つ互いに分割部９Ａで合わされた一方及び他方のベース側部位９の底側に底部ケース６を係脱可能に嵌合して開き防止を施すことで、一方及び他方の分割フレーム７Ｌ，７Ｒを互いに結合するようにした。【選択図】図５
2009071371.tif 000002
【特許請求の範囲】
【請求項１】
ベース側マイクユニットが収容されるベースと、このベースに立設され且つポール側マイクユニットが収容されるマイク搭載ポールを備え、前記ベースと前記マイク搭載ポールのフレーム構造は、縦割りにより一方及び他方の分割フレームの二つに分割されていて、これら一方及び他方の分割フレームは係合手段により係脱可能に係合され、且つ開き止め手段により開き防止が施されることで、前記一方及び他方の分割フレームは互いに結合されていることを特徴とするマイクアレイ装置。
【請求項２】
前記一方の分割フレームは、一方のベース側部位と、この一方のベース側部位に連続する一方のポール側部位を有しており、前記他方の分割フレームは、他方のベース側部位と、この他方のベース側部位に連続する他方のポール側部位を有しており、前記係合手段は、前記一方のポール側部位に設けられた一方の相手係合部と、前記他方のポール側部位に設けられ且つ前記一方の相手係合部に係脱可能に係合する他方の相手係合部で構成してあり、前記開き止め手段は、互いに分割部で合わされた前記一方及び他方のベース側部位の底側に係脱可能に嵌合される底部ケースで構成してあることを特徴とする請求項１に記載のマイクアレイ装置。
【請求項３】
前記ベース側部位の周面部に長孔形状のマイク表出用窓部を設け、前記ベース側マイクユニットは、ばね性を有する平板材を円弧状に湾曲させたマイク保持部材を備えていて、このマイク保持部材で複数個のマイクを保持させ、前記マイク保持部材を押圧した状態で前記ベース側部位内に挿入して、前記マイクを前記マイク表出用窓部に表出させ、押圧解除により、その復元力で前記マイク保持部材を前記ベース側部位の内面に押し付けて前記マイクを保持するようにしたことを特徴とする請求項２に記載のマイクアレイ装置。
【請求項４】
前記一方のポール側部位に一方の挿入溝部を設けると共に、前記他方のポール側部位に他方の挿入溝部を設け、前記ポール側マイクユニットを、マイク保持部材に複数のマイクを保持させて構成し、前記マイク保持部材の片側を前記一方の挿入溝部に挿入すると共に、前記マイク保持部材の他の片側を前記他方の挿入溝部に挿入して、前記マイク保持部材を前記一方及び他方のポール側部位で挟持するようにしたことを特徴とする請求項２又は請求項３に記載のマイクアレイ装置。
【請求項５】
前記ベースにユニット出入口を設け、前記マイクの制御回路を搭載した複数のプリント基板を機器搭載部材に搭載してプリント基板ユニットを構成すると共に、このプリント基板ユニットを前記ユニット出入口から前記ベース内に出し入れするようにしたことを特徴とする請求項３又は請求項４に記載のマイクアレイ装置。
【請求項６】
前記一方及び他方のベース側部位の内部に底部ケース取付部材を取付け、互いに前記分割部で合わされた前記一方及び他方のベース側部位内に、前記プリント基板ユニットを挿入して、前記機器搭載部材を前記底部ケース取付部材に当てがい、前記底部ケースと前記機器搭載部材を前記底部ケース取付部材に共締めするようにしたことを特徴とする請求項５に記載のマイクアレイ装置。
【請求項７】
前記一方及び他方のベース側部位の分割部に切欠き形状のレンズ装着部を設け、これらのレンズ装着部に前記制御回路のシグナル表示用のレンズを嵌め込み、前記一方及び他方のベース側部位で挟持するようにしたことを特徴とする請求項６に記載のマイクアレイ装置。
【発明の詳細な説明】
【技術分野】
【０００１】
本発明は、例えば、ネットワーク等を介して複数の地点間でテレビ会議を行なう会議システムに使用されるマイクアレイ装置に関するものである。
【背景技術】
【０００２】
テレビ会議を行なう会議システムに使用されるマイクアレイ装置は卓上型が一般的であって、ベースと、このベースに支えられるポールとを備えており、ベースには卓上の音（書類の接触音等）を制御する複数のベース側マイクが装着してあり、また、ポールには、人の口の高さの声を集音する複数のポール側マイクが装着してある。
【０００３】
このようなマイクアレイ装置では、ベースとポールとを別部品として製作し、ベースの骨格を構成するベース側フレームにポールの骨格を構成するポール側フレームを組付け連結することでマイクアレイ装置を組立てていた。
【０００４】
なお、卓上型マイクロホンとしては、マイク収納部を有する本体ケーシングと本体マイクロホンとを有し、本体マイクロホンは、集音部と、基端部が本体ケーシングに回動可能に且つ脱着可能に取付けられる第１アーム部と、この第１アーム部の先端部に回動可能に取付けられ且つ集音部を支持する第２アーム部を備えたものがある（特許文献１参照）。
【特許文献１】特開２００４−１３５１２７号公報
【発明の開示】
【発明が解決しようとする課題】
【０００５】
しかしながら、上記した従来のマイクアレイ装置にあっては、ベースの骨格を構成するベース側フレームにポールの骨格を構成するポール側フレームを組付け連結しているが、この連結部分の強度が弱く、固着手段に剛性を高めるために、多くの固着部品を使用する必要があって、部品点数が多く、重量が大きくなるという問題があったし、また、ベース側フレーム及びポール側フレームは樹脂成形なので、アンダーカットになり、抜きテーパ形状が複雑になるばかりか、強度確保を実現することができないという問題があった。
【０００６】
本発明は上記の問題点を解決するためになされたものであって、その目的とするところは、部品点数の削減及び強度確保を実現することができるマイクアレイ装置を提供することである。
【課題を解決するための手段】
【０００７】
上記の目的を達成するために、本発明に係るマイクアレイ装置は、ベース側マイクユニットが収容されるベースと、このベースに立設され、且つポール側マイクユニットが収容されるマイク搭載ポールを備え、ベースとマイク搭載ポールのフレーム構造は、縦割りにより一方及び他方の分割フレームの二つに分割されていて、これら一方及び他方の分割フレームは、係合手段により係脱可能に係合され、且つ開き止め手段により開き防止が施されることで、一方及び他方の分割フレームは互いに結合されていることを特徴とする。
【０００８】
かかる構成により、ベースとマイク搭載ポールで分割したのではなく、ベースとマイク搭載ポールのフレーム構造を、縦割りにより一方及び他方の分割フレームの二つに分割し、これら一方及び他方の分割フレームを係合手段により係脱可能に係合し、且つ開き止め手段により開き防止を施すことで、一方及び他方の分割フレームは互いに結合する構成であるために、部品点数の削減及び強度確保を実現することができる。
【０００９】
また、本発明に係るマイクアレイ装置は、上記した本発明に係るマイクアレイ装置において、一方の分割フレームは、一方のベース側部位と、この一方のベース側部位に連続する一方のポール側部位を有しており、他方の分割フレームは、他方のベース側部位と、この他方のベース側部位に連続する他方のポール側部位を有しており、係合手段は、一方のポール側部位に設けられた一方の相手係合部と、他方のポール側部位に設けられ、且つ一方の相手係合部に係脱可能に係合する他方の相手係合部で構成してあり、開き止め手段は、互いに前記分割部で合わされた一方及び他方のベース側部位の底側に係脱可能に嵌合される底部ケースで構成してあることを特徴とする。
【００１０】
かかる構成により、一方の相手係合部に他方の相手係合部を係脱可能に係合し、互いに分割部で合わされた一方及び他方のベース側部位の底側に底部ケースを係脱可能に嵌合することで、一方のベース側部位と他方の分割フレームを互いに結合させために、部品点数の削減及び強度確保を実現することができる。
【００１１】
また、本発明に係るマイクアレイ装置は、上記した本発明に係るマイクアレイ装置において、ベース側部位の周面部に長孔形状のマイク表出用窓部を設け、ベース側マイクユニットは、ばね性を有する平板材を円弧状に湾曲させたマイク保持部材を備えていて、このマイク保持部材で複数個のマイクを保持させ、マイク保持部材を押圧した状態でベース側部位内に挿入して、マイクをマイク表出用窓部に表出させ、押圧解除により、その復元力でマイク保持部材をベース側部位の内面に押し付けてマイクを保持するようにしたことを特徴とする。
【００１２】
かかる構成により、マイクのベースへの取付けをねじ部材を使用することなく行なうことができて、部品点数の削減を実現することができる。
【００１３】
また、本発明に係るマイクアレイ装置は、上記した本発明に係るマイクアレイ装置において、一方のポール側部位に一方の挿入溝部を設けると共に、他方のポール側部位に他方の挿入溝部を設け、ポール側マイクユニットを、マイク保持部材に複数のマイクを保持させて構成し、マイク保持部材の片側を一方の挿入溝部に挿入すると共に、マイク保持部材の他の片側を他方の挿入溝部に挿入して、マイク保持部材を一方及び他方のポール側部位で挟持するようにしたことを特徴とする。
【００１４】
かかる構成により、マイクのマイク搭載ポールへの取付けをねじ部材を使用することなく行なうことができて、部品点数の削減を実現することができる。
【００１５】
また、本発明に係るマイクアレイ装置は、上記した本発明に係るマイクアレイ装置において、ベースにユニット出入口を設け、マイクの制御回路を搭載した複数のプリント基板を機器搭載部材に搭載してプリント基板ユニットを構成すると共に、このプリント基板ユニットをユニット出入口からベース内に出し入れするようにしたことを特徴とする。
【００１６】
かかる構成により、複数のプリント基板を機器搭載部材に搭載して構成されたプリント基板ユニットをユニット出入口からベース内に出し入れすることができ、組立性及び分解性の向上を図ることができる。
【００１７】
また、本発明に係るマイクアレイ装置は、上記した本発明に係るマイクアレイ装置において、一方及び他方のベース側部位の内部に底部ケース取付部材を取付け、互いに分割部で合わされた一方及び他方のベース側部位内に、プリント基板ユニットを挿入して、機器搭載部材を底部ケース取付部材に当てがい、底部ケースと機器搭載部材を底部ケース取付部材に共締めするようにしたことを特徴とする。
【００１８】
かかる構成により、底部ケースと機器搭載部材を底部ケース取付部材に共締めしており、この共締めを解除することにより、一方及び他方のベース側部位から底部ケースと機器搭載部材を別々に取り外すことができ、組立性及び分解性の向上を図ることができる。
【００１９】
また、本発明に係るマイクアレイ装置は、上記した本発明に係るマイクアレイ装置において、一方及び他方のベース側部位の分割部に切欠き形状のレンズ装着部を設け、これらのレンズ装着部に制御回路のシグナル表示用のレンズを嵌め込み、当該レンズを一方及び他方のベース側部位で挟持するようにしたことを特徴とする。
【００２０】
かかる構成により、底部ケースと機器搭載部材を底部ケース取付部材に共締めすることと相俟って、レンズを一方及び他方のベース側部位で挟持することで、一方及び他方の分割フレームの上下方向のストッパーの役目を施すことができて、マイクアレイ装置の形状を確保することができる。
【発明の効果】
【００２１】
本発明に係るマイクアレイ装置によれば、ベースとマイク搭載ポールで分割したのではなく、ベースとマイク搭載ポールのフレーム構造を、縦割りにより一方及び他方の分割フレームの二つに分割し、これら一方及び他方の分割フレームを係合手段により係脱可能に係合し、且つ開き止め手段により開き防止を施すことで、一方及び他方の分割フレームを互いに結合する構成であるために、部品点数の削減及び強度確保を実現することができる。
【００２２】
また、本発明に係るマイクアレイ装置によれば、一方の相手係合部に他方の相手係合部を係脱可能に係合し、互いに分割部で合わされた一方及び他方のベース側部位の底側に底部ケースを係脱可能に嵌合することで、一方のベース側部位と他方の分割フレームは互いに結合する構成であるために、部品点数の削減及び強度確保を実現することができる。
【００２３】
また、本発明に係るマイクアレイ装置によれば、複数のプリント基板を機器搭載部材に搭載して構成されたプリント基板ユニットをユニット出入口からベース内に出し入れすることができ、組立性及び分解性の向上を図ることができる。
【００２４】
また、本発明に係るマイクアレイ装置によれば、マイクのベース及びマイク搭載ポールへの取付けをねじ部材を使用することなく、行なうことができて、部品点数の削減を実現することができる。
【００２５】
また、本発明に係るマイクアレイ装置によれば、底部ケースと機器搭載部材とを底部ケース取付部材に共締めしており、この共締めを解除することにより、一方及び他方のベース側部位から底部ケースと機器搭載部材を別々に取り外すことができ、組立性及び分解性の向上を図ることができる。
【００２６】
また、本発明に係るマイクアレイ装置によれば、底部ケースと機器搭載部材とを底部ケース取付部材に共締めすることと相俟って、レンズを一方及び他方のベース側部位で挟持することで、一方及び他方の分割フレームの上下方向のストッパーの役目を施すことができて、マイクアレイ装置の形状を確保することができる。
【発明を実施するための最良の形態】
【００２７】
以下、本発明に係るマイクアレイ装置の実施の形態を、図面を参照して詳細に説明する。
【００２８】
図１は本発明に係るマイクアレイ装置の正面側から見た斜視図、図２は同マイクアレイ装置の背面側から見た斜視図、図３は同マイクアレイ装置の分解状態の斜視図、図４は同マイクアレイ装置の横断面図、図５は同マイクアレイ装置における分割フレームの分割状態を示す斜視図である。
【００２９】
図１及び図２に示すように、本発明に係るマイクアレイ装置はベース１とマイク搭載ポール２を備えており、そして、ベース１とマイク搭載ポール２のフレーム構造は一体化してあって、図５に示すように、縦割りにより二つに分割できるようにしてある。
【００３０】
そして、図３に示すように、本発明に係るマイクアレイ装置は、フレームユニット３と、プリント基板ユニット４と、マイクユニット５と（図５及び図１４参照）、底部ケース６と、スピーカ６５（図４参照）と、カバー部材７１と、化粧カバー７２，７３を備えている。
【００３１】
図５乃至図１１に示すように、フレームユニット３は、二つの分割フレーム７Ｌ，７Ｒと、二つの相手係合部材８Ｌ，８Ｒと、二つの底部ケース取付部材３１Ｌ，３１Ｒを有する。そして、一方の分割フレーム７Ｌはベース側部位９と、このベース側部位９に立設されたポール側部位１２を備えており、このポール側部位１２はポール基部位１１を有している。そして、ベース側部位９の分割部９Ａと、ポール基部位１１の分割部１１Ａと、ポール側部位１２の分割部１２Ａとは縦方向に沿う同一平面（分割面）内に位置している。
【００３２】
図６に示すように、ベース側部位９は、円弧状のベース面部１０と、このベース面部１０の上縁部に連なる平坦な天井部１３を有していて、このベース面部１０の一方の側縁部が分割部９Ａにしてあり、他方の側縁部が出入口形成部１４にしてある。そして、分割部９Ａには、切欠き形状のマイク表出用窓部１７と、切欠き形状のレンズ装着部１７Ａが形成してあるし、ベース面部１０には長孔形状のマイク表出用窓部１７−１が形成してある。
【００３３】
また、ベース面部１０の内面側には一対の取付座部１５が突設してあり、また、ベース面部１０の下部にはケース嵌合部１６が形成してある。さらに、ベース面部１０の下部には、多数のスピーカ用孔１８が形成してあり、ベース面部１０の上、下部には多数の通気孔１８Ａ，１８Ｂが横方向に並べて形成してある。また、天井部１３の内面側にはボード挿入保持部１９が設けてある。
【００３４】
図６に示すように、ポール基部位１１は、ベース側部位９の平坦面部１３に立設された側面視で三角形状の立壁部２０の上縁部に傾斜面部２１を形成して構成してあり、この立壁部２０と傾斜面部２１のそれぞれの辺縁部が分割部１１Ａにしてある。そして、傾斜面部２１の中央には通気孔２２が設けてあり、また、傾斜面部２１の上、下側には、切欠き形状の係止部２３が形成してある。また、傾斜面部２１の裏面部には、切欠き状の多数の通気孔２４が形成してある。
【００３５】
また、図１０及び図１１に示すように、ポール側部位１２の前面部１２ａの裏側にはマイク保持部材７０が挿入される挿入溝部２５が形成してあり、また、前面部１２ａには、複数の切欠き形状のマイク取付部２５Ａが形成してある。また、図６に示すように、ポール側部位１２の前面部１２ａには上下に係止部２６が形成してあり、また、ポール側部位１２の内面部には上下方向に所定の間隔を置いて複数の取付座部２７が設けてある。
【００３６】
また、図６に示すように、一方の相手係合部材８Ｌは、ポール側部位１２の分割部１２Ａに囲まれた開口部１２ｂに合致する短冊形状であり、この一方の相手係合部材８Ｌの表面には、上下方向に所定の間隔をおいて複数の鉤形状の一方の相手係合部２８と複数の取付孔２９が設けてある。
【００３７】
また、図６に示すように、一方の底部ケース取付部材３１Ｌは門型のプレート形状であって、その面部３３ａに一対の脚部３３ｂを形成していて、この面部３３ａには一対の取付孔３４が設けてあるし、また、脚部３３ｂの下端部には取付片部３５が直角に屈曲してあって、これらの取付片部３５にねじ孔（図示せず）が設けてある。
【００３８】
そして、図６及び図７に示すように、一方の相手係合部材８Ｌをポール側部位１２の開口部１２ｂに挿入して、この一方の相手係合部材８Ｌの取付孔２９にねじ部材３７を挿通し、ポール側部位１２の取付座部２７にねじ止めすることで、一方の相手係合部材８Ｌはポール側部位１２に取付けてあるし、また、一方の底部ケース取付部材３１Ｌの取付孔３４にねじ部材３７を挿通し、ベース側部位９の一対の取付座部１５にねじ止めすることで、一方の底部ケース取付部材３１Ｌはベース側部位９の内部に取付けてある。
【００３９】
また、図８に示すように、他方の分割フレーム７Ｒは、上記した一方の分割フレーム７Ｌと、分割面に対して略面対称をしている。このために、同じ部位については同じ符号を付して説明を省略する。なお、他方の分割フレーム７Ｒのポール側部位１２には、一方の分割フレーム７Ｌが有するマイク取付部２５が無いし、また、ベース側部位９にはスピーカ用孔１８が無い。
【００４０】
また、図８に示すように、他方の相手係合部材８Ｒは、ポール側部位１２の分割部１２Ａに囲まれた開口部１２ｂに合致する短冊形状であり、この相手係合部材８Ｒの表面には、上下方向に所定の間隔をおいて複数の閉塞断面形状の他方の相手係合部４０と、複数の取付孔４１が設けてある。
【００４１】
なお、一方の相手係合部材８Ｌに設けられた一方の相手係合部２８と、他方の相手係合部材８Ｒに設けられた他方の相手係合部４０とは係合手段を構成している。
【００４２】
また、図８に示すように、他方の底部ケース取付部材３１Ｒの面部には一対の取付孔４３が設けてあるし、また、面部の下辺縁部には一対の取付片部４４が面部に対して直角に屈曲形成してあって、これらの取付片部４４にねじ孔（図示せず）が設けてある。
【００４３】
そして、図９に示すように、他方の相手係合部材８Ｒをポール側部位１２の開口部１２ｂに挿入して、この他方の相手係合部材８Ｒの取付孔４１にねじ部材３７を挿通し、ポール側部位１２の取付座部２７にねじ止めすることで、他方の相手係合部材８Ｒはポール側部位１２に取付けてある。また、他方の底部ケース取付部材３１Ｒの取付孔４３にねじ部材３７を挿通し、ベース側部位９の一対の取付座部１５にねじ止めすることで、他方の底部ケース取付部材３１Ｒはベース側部位９の内部に取付けてある。
【００４４】
図１２に示すように、プリント基板ユニット４は、蓋部材５０と、基板取付部材５１と、複数のプリント基板５２〜５５と、機器搭載部材５６を備えている。そして、蓋部材５０は円弧状に湾曲しており、この蓋部材５０の両側縁部にはカバー押え部５０ａが形成してあり、また、蓋部材５０の裏面部には一対の取付座部５７が設けてあるし、基板接続コネクタ５８が装着してある。そして、取付座部５７には基板取付部材５１がねじ部材３７により取付けてある。
【００４５】
この基板取付部材５１は、その両側に基板取付部５９を有しており、基板取付部５９には取付孔５９ａが設けてある。また、基板取付部材５１には基板挿入溝部５９ｂが形成してある。また、図８に示すように、マザーボード３２は基板本体３２Ａを有しており、基板本体３２Ａの下面にはコネクタ４７が取付けてある。
【００４６】
また、図１２に示すように、プリント基板５２とプリント基板５３、プリント基板５３とプリント基板５４、プリント基板５４とプリント基板５５とは、それぞれに接続コネクタ６０を搭載している。また、プリント基板５２は、その外面側に接続コネクタ６６を備えている。そして、プリント基板５２には、その上部に取付孔５２ａが設けてあり、プリント基板５３には、その下部に一対の取付孔５３ａが設けてあり、プリント基板５５には、その下部に一対の取付孔５５ａが、上部に取付孔５５ｂがそれぞれ設けてある。
【００４７】
また、図１２に示すように、機器搭載部材５６には、図１２において左から右にスピーカ取付部６１、フレーム取付部６２Ｌ、仕切壁６３、基板搭載取付部６４、フレーム取付部６２Ｒが設けてある。スピーカ取付部６１は垂直面部６１ａに取付孔６１ｂを設けた構成であり、フレーム取付部６２Ｌ，６２Ｒは取付片６２ａに取付孔６２ｂを設け、これらを二組配した構成であり、基板取付部６４は、相対峙する垂直な取付片６４ａに取付孔６４ｂを設け、これらを二組配した構成である。
【００４８】
そして、図４、図１２に示すように、機器搭載部材５６において、スピーカ取付部６１には、取付孔６１ｂに挿通したねじ部材３７によりスピーカ６５が取付けてある。また、基板搭載取付部６４にはプリント基板５２〜５５が搭載してある。この場合、接続コネクタ６０同士を接続することで回路接続が行なわれると共に、隣り合うプリント基板５２〜５５の結合がなされる。そして、図４に示すように、プリント基板５３は、その下部の一対の取付孔５３ａを用いてねじ部材３７により基板取付部６４の取付片６４ａに取付けてあり、プリント基板５５は、その下部の一対の取付孔５５ａを用いてねじ部材３７により基板取付部６４の取付片６４ａに取付けてある。
【００４９】
そして、図４に示すように、プリント基板５２は、その上部の取付孔５２ａを用いてねじ部材３７により基板取付部材５１の基板取付部５９に取付けてあり、また、プリント基板５５は、その上部の取付孔５５ａを用いてねじ部材３７により基板取付部材５１の基板取付部５９に取付けてあり、プリント基板５３及びプリント基板５４のそれぞれの上縁部が基板取付部材５１の基板挿入溝部５９ｂに挿入されるようになる（図１２参照）。
【００５０】
また、図５及び図１４に示すように、マイクユニット５は、例えば、デスク上の音（書類の接触音等）を制御するベース側マイクユニット５−１と（図１４参照）、人の口の高さの声を集音するポール側マイクユニット５−２とにより構成してある。そして、図１４に示すように、ベース側マイクユニット５−１は、マイク装着部材である上側マイク装着部材５Ａと下側マイク装着部材５Ｂを有していて、上側マイク装着部材５Ａと下側マイク装着部材５Ｂはばね性を有する平板材を円弧状に湾曲させたものである。そして、上側マイク装着部材５Ａの下辺縁部には切欠き部からなるマイク装着部６６Ａが複数設けてあり、下側マイク装着部材６Ｂの上辺縁部には切欠き部からなるマイク装着部６６Ｂが複数設けてある。
【００５１】
また、図５に示すように、ポール側マイクユニット５−２は短冊状のマイク保持部材７０を有しており、このマイク保持部材７０には上下方向に複数のマイク７４が装着してある。
【００５２】
また、図３に示すように、底部ケース６は、底面部６７の周縁部に周壁部６８に立ち上げ、この周壁部６８の正面側に切欠き部よりなるユニット挿入窓部６９を形成して構成してある。そして、底面部６７には取付孔（図示せず）が設けてあり、また、底面部６７にはゴム製の脚体７５が取付けてある。そして、底部ケース６は、互いに分割部９Ａで合わされた一方及び他方のベース側部位９のケース嵌合部１６に係脱可能に嵌合されることで、一方及び他方の分割フレーム７Ｌ，７Ｒの開き止め手段を構成する。
【００５３】
また、図３に示すように、カバー部材７１はメッシュ材を両端部間が開いた円筒形状に形成して構成してあり、図４に示すように、両端部には内方に折曲げた折曲部７６が形成してある。
【００５４】
また、図３に示すように、化粧カバー７２は、その裏面部に係止突起部７２ａを有しており、化粧カバー７３は、その裏面部に係止突起部７３ａを有している。
【００５５】
次に、マイクアレイ装置の組立てを説明する。
【００５６】
図８及び図９に示すように、他方の分割フレーム７Ｒにマザーボード３２を取付ける。この取付け、マザーボード３２をベース側部位９の天井部１３に設けたボード挿入保持部１９に挿入することで行なわれる。
【００５７】
そして、図１０及び図１１に示すように、一方の分割フレーム７Ｌの挿入溝部２５に、ポール側マイクユニット５−２のマイク保持部材７０の片側を挿入することで、このマイク保持部材７０が保持したマイク７４をポール側部位１２のマイク取付部２５Ａに挿入する。
【００５８】
そして、一方の分割フレーム７Ｌに対して他方の分割フレーム７Ｒを、それぞれの分割部９Ａ，１１Ａ，１２Ａで合わせるようにして、他方の分割フレーム７Ｒの挿入溝部２５にマイク保持部材７０の他の片側を挿入する。そして、他方の分割フレーム７Ｒに対して一方の分割フレーム７Ｌを下方に移動させることにより、一方の相手係合部２８を他方の相手係合部４０に差込み係合することで、一方の分割フレーム７Ｌのポール側部位１２と他方の分割フレーム７Ｒのポール側部位１２とを連結して分割部９Ａ，１１Ａ，１２Ａを合致させる。
【００５９】
また、一方及び他方の分割フレーム７Ｌ、７Ｒのベース側部位９が、それぞれの分割部９Ａで合致してベース１の骨格部を構成するし（図３参照）、また、一方及び他方の分割フレーム７Ｌ、７Ｒのポール基部位１１及びポール側部位１２が、それぞれの分割部１１Ａ、１２Ａで合致してマイク搭載ポール２の骨格部を構成する。
【００６０】
したがって、ベース１の骨格部では、その正面側に、両方の分割フレーム７Ｌ、７Ｒに設けた出入口形成部１４が二つ合わされてユニット出入口８０の開口部８０Ａを形成するし（図５参照）、また、切欠き形状のマイク表出用窓部１７は二つ合わされて長孔形状になるし、ケース嵌合部１６は二つ合わされて周方向に連続したものになる。また、切欠き形状のレンズ装着部１７Ａは二つ合わされ、この際に、レンズ８１の嵌め込みにより、このレンズ８１が装着される。
【００６１】
また、図１４に示すように、マイク搭載ポール２の骨格部では、一方及び他方のポール基部１１の分割部１１Ａによる合致により二つの係止部２３が合わされて長孔状態になるし、二つの通気孔２４が合わされて長孔状態になる。
【００６２】
次に、図１４に示すように、下側マイク装着部材６Ｂの複数のマイク装着部６６Ｂにマイク７４の片側を装着し、下側マイク装着部材６Ｂに上側マイク装着部材６Ａを合わせて、この上側マイク装着部材６Ａのマイク装着部６６Ａにマイク７４の他の片側を装着することでベース側マイクユニット５−１を作る。そして、上、下側マイク装着部材６Ａ，６Ｂを押圧した状態で、ベース１の骨格部内に挿入して、マイク７４をマイク表出用窓部１７，１７−１に表出させ、押圧解除により、復元力で上、下側マイク装着部材６Ａ，６Ｂをベース１の骨格部の内面に押し付けて摩擦力によりマイク７４を保持する。そして、各マイク７４はマザーボード３２の回路に配線接続される。
【００６３】
次に、図３に示すように、プリント基板ユニット４をベース１の骨格部内に下から挿入して、図１２に示すプリント基板ユニット４の機器搭載部材５６のフレーム取付部６２Ｌの取付片部６２ａを一方の底部ケース取付部材３１Ｌの取付片部３５に下から当てがい、また、フレーム取付部６２Ｒの取付片部６２ａを他方の底部ケース取付部材３１Ｒの取付片部４４に下から当てがう。そして、プリント基板５２が備える接続コネクタ６６をマザーボード３２の接続コネクタ４７に接続する。
【００６４】
次に、図３に示すように、ベース１の骨格部のケース嵌合部１６に底部ケース６を嵌合して、この底部ケース６の周壁部６８のユニット挿入窓部６９でユニット出入口８０の開口部８０Ａの下辺縁部を形成する。そして，底面部６７に設けた取付孔に挿入したねじ部材３７をフレーム取付部６２Ｌ，６２Ｒの取付片部６２ａの取付孔に通して一方及び他方の底部ケース取付部材３１Ｌ，３１Ｒの取付片部３５のねじ孔に螺合することで、ねじ部材３７で底部ケース６と機器搭載部材５６のフレーム取付部６２Ｌ，６２Ｒを底部ケース取付部材３１Ｌ，３１Ｒに共締めする。
【００６５】
次に、図３に示すように、ベース１の骨格部の外側にカバー部材７１を装着し、図４に示すように、このカバー部材７１の両端部の折曲部７６をユニット出入口８０の両側縁部に内方に向けて沿わせる。そして、プリント基板ユニット４の蓋部材５０でユニット出入口８０を閉塞して、蓋部材５０の両側縁部のカバー押え部５０ａでカバー部材７１の折曲部７６を押え込んで、このカバー部材７１を固定する。このようにベース１の骨格部の外側にカバー部材７１を装着することでベース１を構成する。
【００６６】
そして、図３に示すように、化粧カバー７２を、その裏面部の係止突起部７２ａをポール側部位１２の係止部２６に係脱可能に係止し、化粧カバー７３を、その裏面部の係止突起部７１ａを係止部２３に係脱可能に係止することで、図１に示すマイク搭載ポール２を構成する。
【００６７】
上記した本発明の実施の形態によれば、ベース１とマイク搭載ポール２で分割したのではなく、ベース１とマイク搭載ポール２のフレーム構造を、縦割りにより一方及び他方の分割フレーム７Ｌ，７Ｒの二つに分割し、これら一方及び他方の分割フレーム７Ｌ，７Ｒを一方の相手係合部２８に他方の相手係合部４０を係脱可能に係合し、且つ互いに分割部９Ａで合わされた一方及び他方のベース側部位９の底側に底部ケース６を係脱可能に嵌合することで開き防止を施すことで、一方及び他方の分割フレーム７Ｌ，７Ｒは互いに結合する構成であるために、部品点数の削減及び強度確保を実現することができる。
【００６８】
また、上記した本発明の実施の形態によれば、ベース側部位９の周面部に長孔形状のマイク表出用窓部１７，１７−１を形成し、ベース側マイクユニット５−１は、ばね性を有する平板材を円弧状に湾曲させた上、下側マイク保持部材５Ａ，５Ｂを備えていて、これらの上、下側マイク保持部材５Ａ，５Ｂで複数個のマイク７４を保持させ、上、下側マイク保持部材５Ａ，５Ｂを押圧した状態でベース側部位９内に挿入して、マイク７４をマイク表出用窓部１７，１７−１に表出させ、押圧解除により、その復元力で上、下側マイク保持部材５Ａ，５Ｂをベース側部位９の内面に押し付けてマイク７４を保持するようにしたことにより、マイク７４のベース１への取付けをねじ部材を使用することなく行なうことができて、部品点数の削減を実現することができる。
【００６９】
また、上記した本発明の実施の形態によれば、一方のポール側部位１２に一方の挿入溝部２５を設けると共に、他方のポール側部位１２に他方の挿入溝部２５を設け、ポール側マイクユニット５−２を、マイク保持部材７０に複数のマイク７４を保持させて構成し、マイク保持部材７０の片側を一方の挿入溝部２５に挿入すると共に、マイク保持部材７０の他の片側を他方の挿入溝部２５に挿入して、マイク保持部材７０を一方及び他方のポール側部位１２で挟持するようにしたことにより、マイク７４のマイク搭載ポール２への取付けをねじ部材を使用することなく行なうことができて、部品点数の削減を実現することができる。
【００７０】
また、上記した本発明の実施の形態によれば、ベース１にユニット出入口８０を設け、マイク７４の制御回路を搭載した複数のプリント基板５２〜５５を機器搭載部材５６に搭載してプリント基板ユニット４を構成すると共に、このプリント基板ユニット４をユニット出入口８０からベース１内に出し入れするようにしたことにより、組立性及び分解性の向上を図ることができる。
【００７１】
また、上記した本発明の実施の形態によれば、一方及び他方のベース側部位９の内部に底部ケース取付部材３１Ｌ，３１Ｒを取付け、互いに分割部９Ａで合わされた一方及び他方のベース側部位９内に、プリント基板ユニット４を下から挿入して、機器搭載部材５６を底部ケース取付部材３１Ｌ，３１Ｒに当てがい、底部ケース６と機器搭載部材５６とを底部ケース取付部材３１Ｌ，３１Ｒに共締めしており、この共締めを解除することにより、一方及び他方のベース側部位９から底部ケース６と機器搭載部材５６を別々に取り外すことができ、組立性及び分解性の向上を図ることができる。
【００７２】
また、上記した本発明の実施の形態によれば、一方及び他方のベース側部位９の分割部９Ａに切欠き形状のレンズ装着部１７Ａを設け、これらのレンズ装着部１７に制御回路のシグナル表示用のレンズ８１を嵌め込み、当該レンズ８１を互いに分割面で合わされた一方及び他方のベース側部位９で挟持するようにしたことにより、底部ケース６と機器搭載部材５６とを底部ケース取付部材３１Ｌ，３１Ｒに共締めすることと相俟って、一方及び他方の分割フレーム７Ｌ，７Ｒの上下方向のストッパーの役目を施すことができて、マイクアレイ装置の形状を確保することができる。
【産業上の利用可能性】
【００７３】
本発明に係るによれば、ベースとマイク搭載ポールで分割したのではなく、ベースとマイク搭載ポールのフレーム構造を、縦割りにより一方及び他方の分割フレームの二つに分割し、これら一方及び他方の分割フレームを係合手段により係脱可能に係合し、且つ開き止め手段により開き防止を施すことで、一方及び他方の分割フレームは互いに結合する構成であるために、部品点数の削減及び強度確保を実現することができるという効果を有しており、例えば、ビデオ会議システムのマイクアレイ等に有用である。
【図面の簡単な説明】
【００７４】
【図１】本発明に係るマイクアレイ装置の正面側から見た斜視図である。
【図２】同マイクアレイ装置の背面側から見た斜視図である。
【図３】同マイクアレイ装置の分解状態の斜視図である。
【図４】同マイクアレイ装置の横断面図である。
【図５】同マイクアレイ装置における分割フレームの分割状態を示す斜視図である。
【図６】一方の分割フレームの分解状態を示す斜視図である。
【図７】一方の分割フレームの斜視図である。
【図８】他方の分割フレームの分解状態を示す斜視図である。
【図９】他方の分割フレームの斜視図である。
【図１０】一方の分割フレームとポール側マイクユニットの斜視図である。
【図１１】図１０のＡ−Ａ線に沿う断面図である。
【図１２】プリント基板ユニットの分解状態を示す斜視図である。
【図１３】同プリント基板ユニットの斜視図である。
【図１４】一方及び他方の分割フレームの結合状態とベース側マイクユニットの分解状態を示す斜視図である。
【符号の説明】
【００７５】
１      ベース
２      マイク搭載ポール
３      フレームユニット
４      プリント基板ユニット
５      マイクユニット
５−１  ベース側マイクユニット
５−２  ポール側マイクユニット
５Ａ    上側マイク装着部材（マイク装着部材）
５Ｂ    下側マイク装着部材（マイク装着部材）
６      底部ケース（開き止め手段）
７Ｌ    一方の分割フレーム
７Ｒ    他方の分割フレーム
８Ｌ    一方の相手係合部材
８Ｒ    他方の相手係合部材
９      ベース側部位
９Ａ    分割部
１０    ベース面部
１１    ポール基部位
１１Ａ  分割部
１２    ポール側部位
１２Ａ  分割部
１３    天井部
１４    出入口形成部
１６    ケース嵌合部
１７    マイク表出用窓部
１７−１  マイク表出用窓部
１７Ａ  レンズ装着部
１９    ボード挿入保持部
２０    立壁部
２１    傾斜面部
２５    一方及び他方の挿入溝部
２５Ａ  マイク取付部
２８    一方の相手係合部（係合手段）
３１Ｌ  一方の底部ケース取付部材
３１Ｒ  他方の底部ケース取付部材
３２    マザーボード
３７    ねじ部材
４０    他方の相手係合部（係合手段）
５０    蓋部材
５０ａ  カバー押え部
５１    基板取付部材
５２〜５５  プリント基板
５６    機器搭載部材
５８    基板接続コネクタ
５９ｂ  基板挿入溝部
６６    接続コネクタ
６１    スピーカ取付部
６２Ｌ  フレーム取付部
６２Ｒ  フレーム取付部
６３    仕切壁
６４    基板搭載取付部
６５    スピーカ
６６Ａ  マイク装着部
６６Ｂ  マイク装着部
７０    マイク保持部材
７１    カバー部材
７６    折曲部
７２，７３  化粧カバー
７４    マイク
８０    ユニット出入口
８１    レンズ
【図１】
2009071371.tif 000003
【図２】
2009071371.tif 000004
【図３】
2009071371.tif 000005
【図４】
2009071371.tif 000006
【図５】
2009071371.tif 000007
【図６】
2009071371.tif 000008
【図７】
2009071371.tif 000009
【図８】
2009071371.tif 000010
【図９】
2009071371.tif 000011
【図１０】
2009071371.tif 000012
【図１１】
2009071371.tif 000013
【図１２】
2009071371.tif 000014
【図１３】
2009071371.tif 000015
【図１４】
2009071371.tif 000016